(57)【要約】      （修正有）【課題】幅および径の異なるロール体であっても、搭載したロール体を確実に不動状態に保持して安全に輸送するとともに最大の積載効率を得ることができるロール体用コンテナを提供する。【解決手段】ロール体用コンテナは、巻芯１７が円筒状のロール体１０を収納保持して輸送するためのものである。コンテナの基体となるパレット１と、ロール体の巻芯の両端にそれぞれ嵌挿してロール体の芯軸を構成する一対の軸部材１８，１８と、パレットに装着してロール体の軸部材を受け止める一対の支持部材９，９とを備えて構成される。一対の軸部材は、ロール体の巻芯の両端にそれぞれ着脱自在である。一対の支持部材は、パレットのロール体を搭載する位置を挟んだそれぞれの位置に着脱自在である。【選択図】図１
2010173731.tif 000002
【特許請求の範囲】
【請求項１】
巻芯が円筒状のロール体を収納保持して輸送するためのロール用コンテナであって、
コンテナの基体となるパレットと、
前記ロール体の巻芯の両端にそれぞれ嵌挿してロール体の芯軸を構成する一対の軸部材と、
前記パレットに装着してロール体の前記軸部材を受け止める一対の支持部材とを備えて成り、
前記一対の軸部材は、ロール体の巻芯の両端にそれぞれ着脱自在であり、
前記一対の支持部材は、パレットのロール体を搭載する位置を挟んだそれぞれの位置に着脱自在である
ことを特徴とするロール体用コンテナ。
【請求項２】
パレットは外周縁形状が長方形であってその長手方向および短手方向のそれぞれの対向する両端縁に支持部材を着脱自在に装着する起立した周囲壁を有し、パレットの長手方向または短手方向のいずれにもロール体を搭載可能であることを特徴とする請求項１記載のロール体用パレット。
【請求項３】
支持部材は軸部材を受ける部分を境に上下２分割構成であってその下部材に上部材が嵌合自在であり、かつ支持部材と軸部材とは支持部材に対して軸部材が回り止め軸受け構造を構成することを特徴とする請求項１または２記載のロール体用コンテナ。
【発明の詳細な説明】
【技術分野】
【０００１】
本発明は、巻芯が円筒状のロール体を輸送するためのものであって、幅（軸方向の長さ）および径の異なるロール体であっても搭載可能なロール体用コンテナに関するものである。
【背景技術】
【０００２】
フィルム、シート、紙あるいは織物等の帯状物を巻芯に巻いたロール体を搭載して輸送するためのロール体用コンテナとしては、例えば、特開２００２−２０５７８９号公報、特開２００３−２２０１３５号公報および特開２００５−９６９４４号公報に記載されているものが知られている。
【０００３】
この種のロール体用コンテナにおいては、ロール体を損傷することなく安全に輸送するうえでロール体を不動状態に保持することが肝要である。このため、前掲の特開２００２−２０５７８９号公報にも、輸送しようとするロール体が幅（軸方向の長さ）の異なるものであっても、その軸芯の支持位置を調節可能にして不動状態に保持することができるロール体用コンテナを紹介している。
【先行技術文献】
【特許文献】
【０００４】
【特許文献１】特開２００２−２０５７８９号公報
【特許文献２】特開２００３−２２０１３５号公報
【特許文献３】特開２００５−９６９４４号公報
【発明の概要】
【発明が解決しようとする課題】
【０００５】
前掲の特開２００２−２０５７８９号公報に記載されているロール体用コンテナにおいては、搭載するロール体の幅に応じて、コンテナの基体であるパレットに、ロール体の軸芯を受ける受け台を軸芯方向に移動調節可能な取り付け構造を備えて、搭載するロール体の幅に応じてパレットに対する受け台の位置決めをし、搭載したロール体の軸方向に移動しないようにしている。
【０００６】
しかし、前掲の特開２００２−２０５７８９号公報に記載されている構成は、パレットと受け台の支持構造がスライド構造であるところから、重量の大なるロール体を搭載した場合においては、スライド構造のストッパに過大な荷重が掛かって破損したりストッパ機能が損なわれることがある。
【０００７】
そこで、本発明の目的は、ロール体の巻芯の両端にそれぞれ着脱自在の軸部材を備えるとともに、軸部材の支持部材を、パレットのロール体を搭載する位置を挟んだそれぞれの位置に着脱自在とすることにより、幅（軸方向の長さ）および径の異なるロール体であっても、それに対応する軸部材を選択使用するのみでパレットに対する支持部材のスライド構造などの位置調節構造を必要とせず、搭載したロール体を確実に不動状態に保持して安全に輸送することができるロール体用コンテナを提供するものである。
【０００８】
また、本発明の他の目的は、パレットが長方形である場合において、ロール体の幅等に応じてその長手方向または短手方向のいずれにもロール体を選択的に搭載可能とした汎用性に優れたロール体用コンテナを提供するものである。
【課題を解決するための手段】
【０００９】
上記目的を達成する本発明のロール体用コンテナは、巻芯が円筒状のロール体を収納保持して輸送するためのロール用コンテナであって、コンテナの基体となるパレットと、前記ロール体の巻芯の両端にそれぞれ嵌挿してロール体の芯軸を構成する一対の軸部材と、前記パレットに装着してロール体の前記軸部材を受け止める一対の支持部材とを備えて成り、前記一対の軸部材は、ロール体の巻芯の両端にそれぞれ着脱自在であり、前記一対の支持部材は、パレットのロール体を搭載する位置を挟んだそれぞれの位置に着脱自在であることを特徴とするものである。
【００１０】
そして、本発明においては、パレットは外周縁形状が長方形であってその長手方向および短手方向のそれぞれの両端縁に支持部材を着脱自在に装着する構成であり、パレットの長手方向または短手方向のいずれにもロール体を搭載可能であることが、また支持部材は軸部材を受ける部分を境に上下２分割構成であってその下部材に上部材が嵌合自在であり、かつ支持部材と軸部材とは支持部材に対して軸部材が回り止め軸受け構造を構成することが好適である。
【発明の効果】
【００１１】
本発明のロール体用コンテナによれば、幅（軸方向の長さ）および径の異なるロール体であっても、搭載したロール体を確実に不動状態に保持して安全に輸送するとともに最大の積載効率を得ることができる。
【図面の簡単な説明】
【００１２】
【図１】本発明の実施例１に係るロール体用コンテナの内部態様を現した斜視図である。
【図２】同上全体の斜視図である。
【図３】同上パレットおよび支持部材の斜視図である。
【図４】（Ａ）は図２のＡ−Ａ断面図、（Ｂ）は径の異なるロール体を収納した態様を示すＡ−Ａ断面図である。
【図５】図２のＢ−Ｂ断面図である。
【図６】図５の破線円Ｃ内の部分詳細図である。
【図７】本発明の実施例１に係るロール体用コンテナの他の使用態様を示す斜視図である。
【図８】本発明の実施例１に係るロール体用コンテナの回収時の態様を示す斜視図である。
【図９】図８のＤ−Ｄ断面図である。
【図１０】本発明の実施例２に係るロール体用コンテナの断面図である。
【発明を実施するための形態】
【実施例１】
【００１３】
図１ないし図３において、本発明に係るロール体用コンテナの基体となるパレット１は中空二重壁構造の樹脂製である。前記パレット１の外壁２はその外周縁形状が長方形であって、３は脚部、４はフォークリフト爪の挿入部である。前記外壁２にはその内周面に沿って起立した周囲壁５を有しており、外壁２と周囲壁５の間に支持溝６が四辺の全周にわたって形成されているとともに、周囲壁５の内周下部には凹溝７が四辺の全周にわたって形成されており、周囲壁５の内周面には四辺の全周にわたって係止凹部８が多数等間隔に形成されている。９，９は一対の支持部材であり、ロール体１０の軸心両端を支持するものである。中空二重壁構造のパレット１は、図４に示すように複数のリブ１１により補強された構造となっている。
【００１４】
前記支持部材９は、下部材１２と上部材１３とで構成され、下部材１２は前記周囲壁５の内面に接して起立した姿勢でかつ選択した係止凹部８に係合させて位置決めして係止するフック部１４を一体に有しているとともに、上向きに開口した略半円形の軸受け部１５を有している。さらに、下部材１２の下端はパレット１の内外周に沿って設けられた凹溝７に差し込まれることで下部材１２が内倒れすることが防止される。また上部材１３は前記下部材１２の上端部に着脱自在であって、下向きに開口しかつ回り止め突部１６を備えている略半円形の軸受け部１６を有している。ロール体１０を搭載するには一対の支持部材９，９を一対を用いるが、一対の支持部材９，９は搭載するロール体１０の軸方向の幅に応じてパレット１の長手方向または短手方向のいずれをも選択的に装着して使用することができるものである。
【００１５】
本発明に係るロール体用コンテナに搭載するロール体１０は、筒状の巻芯１７にその長さと略同幅のフィルム等を巻いたものであって、巻芯１７の両端にはそれぞれ一対の軸部材１８，１８を装着して軸部を構成して搭載する。一対の軸部材１８，１８には回り止め溝１９，１９が形成されている。パレット１にロール体１０を搭載するには、その巻芯１７の両端にそれぞれ基端部を挿入して装着した軸部材１８，１８を、ロール体１０の軸方向の幅に対応してパレット１の短手方向に装着した一対の支持部材９，９の下部材１２，１２の軸受け部１５，１５に回り止め溝１９，１９が上向きとなるように嵌装し、次いで上部材１３，１３を下部材１２，１２に装着して上部材１３，１３の回り止め突部１６，１６が軸部材１８，１８の回り止め溝１９，１９に嵌合させて、一対の支持部材９，９にロール体１０がその軸部を回り止め状態を保持して支持させる。
【００１６】
パレット１に搭載するロール体１０は、図７に示すようにその軸方向の幅に応じてパレット１の長手方向に一対の支持部材９，９を装着して前記同様に搭載することができる。なお、パレット１に装着した一対の支持部材９，９間の距離がロール体１０の軸方向の幅より大きい場合には、軸方向に長い一対の軸部材１８，１８を選択使用して（図１０参照）、パレット１にロール体１０が不動状態に搭載するようにする。
【００１７】
また、パレット１の長手方向または短手方向のいずれにも、一対の支持部材９，９をそれらの位置を選択して装着できるので、複数本のロール体１０をともに搭載することができるし、巻き径の異なるロール体１０を混在させるなど適宜の態様で複数本のロール体１０であっても搭載可能である（図４参照）。
【００１８】
パレット１には、ロール体１０を搭載したあとに外壁２と周囲壁５の間の支持溝６にスリーブ２０を嵌め込んで周囲を覆い、かつスリーブ２０に蓋体２１を被せて上面を覆ったうえ、パレット１と蓋体２１に回した複数本のベルト２２により締結してコンテナを輸送等の態様とする（図２参照）。ロール体１０の輸送を終えた使用済み後は、パレット１から蓋体２１、スリーブ２０、一対の支持部材９，９を外して、パレット１の上に一対の支持部材９，９およびスリーブ２０を倒伏姿勢で載せ、その上に蓋体２１を被せて全体を減容状態とし、ベルト２２を掛けて締結態様として回収する（図８および図９参照）。すなわち、本発明に係るロール体用コンテナは、繰り返し回収して使用するリターナブルコンテナを構成するものである。
【産業上の利用可能性】
【００１９】
本発明に係るロール体用コンテナは、フィルム等のロール体を安全かつ効率的輸送に用いることを主目的とするが、ロール体であればフィルムのロール体に限るものではなく、また輸送のほかそれらの保管や貯蔵など広範な用途に供することができるものである。
【符号の説明】
【００２０】
１  パレット
２  外壁
３  脚部
４  フォークリフト爪の挿入部
５  周囲壁
６  支持溝
７  凹溝
８  係止凹部
９，９  一対の支持部材
１０  ロール体
１１  リブ
１２  下部材
１３  上部材
１４  フック部
１５  軸受け部
１６  軸受け部
１７  巻芯
１８，１８  一対の軸部材
１９，１９  回り止め溝
２０  スリーブ
２１  蓋体
２２  ベルト
【図１】
2010173731.tif 000003
【図２】
2010173731.tif 000004
【図３】
2010173731.tif 000005
【図４】
2010173731.tif 000006
【図５】
2010173731.tif 000007
【図６】
2010173731.tif 000008
【図７】
2010173731.tif 000009
【図８】
2010173731.tif 000010
【図９】
2010173731.tif 000011
【図１０】
2010173731.tif 000012